(57)【特許請求の範囲】
【請求項１】
外壁本体の一部に開口部が設けられ、前記外壁本体の表面に胴縁が取り付けられる外壁構造であって、
前記開口部の直上の前記外壁本体に、水平方向に対して傾斜した斜め胴縁が前記開口部の両側縁線を上方に延長した仮想線を横切るようにして設けられ、
前記斜め胴縁の傾斜方向下方の端部と、前記開口部の側縁部との間の外壁本体に、前記側縁部と略平行に上下に長尺な縦胴縁が設けられ、当該縦胴縁は、上端の位置が前記斜め胴縁の傾斜方向下方の端部と同一か或いはそれ以上高く、且つ下端の位置が前記開口部の下縁部と同一か或いはそれ以上低くなっていることを特徴とする外壁構造。
【請求項２】
請求項１記載の外壁構造において、
前記斜め胴縁上方の外壁本体の表面に、上下に長尺な縦胴縁が水平方向に所定の間隔で設けられていることを特徴とする外壁構造。
【請求項３】
請求項１又は２記載の外壁構造において、
外壁本体の表面に、防水シートが張設され、その上から前記斜め胴縁が前記外壁本体に取り付けられていることを特徴とする外壁構造。
【請求項４】
請求項１〜３の何れかに記載の外壁構造において、
外壁本体は複数のパネルが連結してなる連結パネルであることを特徴とする外壁構造。
【発明の詳細な説明】
【０００１】
【発明の属する技術分野】
本発明は、外壁本体の一部に開口部が設けられ、前記外壁本体の表面に胴縁が取り付けられる外壁構造に関する。
【０００２】
【背景の技術】
近年、建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。このようなパネル工法に用いられる外壁パネルとして、例えば、図３に示すようなパネルが知られている。
【０００３】
図３に示す外壁パネル１００は、縦框材１０１，１０１と横框材１０２，１０２とが矩形枠状に組み立てられるとともに、この矩形枠の内部に補強芯材１０３…が縦横に組まれて枠体１０４が形成され、枠体１０４の一方の面に合板等の面材１０５が貼設されたものである。
そして、複数の外壁パネル１００の側端面部どうしを連結させることにより、建物の外壁が構築されるようになっている。
また、この外壁パネルには、外側の面に防水シートが張設され、その上から胴縁が取り付けられる。
【０００４】
前記胴縁は、例えば、特開平９−１１１８９６号公報に示すような、横方向に所定の間隔で取り付ける縦胴縁と、或いは、例えば、特開平７−１５８１８１号公報に示すような、縦方向に所定の間隔で取り付ける横胴縁と、がある。
縦胴縁は上下方向に空間が設けられているので、横胴縁に比べて通気性に優れるという特徴を有する。
【０００５】
【発明が解決しようとする課題】
しかしながら、例えば、図２に示すように、開口部を有する連結外壁パネルの開口部直上の壁パネル（小壁パネル）に胴縁を取り付けた場合、開口部内に水が入り込まないようにコーキング処理等により開口部付近の防水処理を行っていたが、特に、開口部直上では、水が溜まりやすく念入りな防水処理を行っていたので、その作業が煩雑であるという問題点があった。
【０００６】
本発明は上記問題点を解決するために為されたものであって、開口部付近の防水性をより簡易な手段により高めることが出来る外壁構造を提供することを目的とする。
【０００７】
【課題を解決するための手段】
上記課題を解決するため、
請求項１記載の発明は、例えば、図１、図２に示すように、外壁本体３（例えば、パネル本体）の一部に開口部５が設けられ、前記外壁本体３の表面に胴縁６…が取り付けられる外壁構造であって、
前記開口部５の直上の前記外壁本体３に、水平方向に傾斜した斜め胴縁７４が、前記開口部５の両側縁線ａ、ａを上方に延長した仮想線を横切るようにして設けられ、
前記斜め胴縁７４の傾斜方向下方の端部７４ａ（例えば、右下端部）と、前記開口部５の側縁部５ａとの間の外壁本体３に、前記側縁部５ａと略平行に上下に長尺な縦胴縁７１が設けられ、当該縦胴縁７１は、上端７１ａの位置が前記斜め胴縁７４の傾斜方向下方の端部７４ａと同一か或いはそれ以上高く、且つ下端７１ｂの位置が前記開口部５の下縁部５ｂと同一か或いはそれ以上低くなっていることを特徴としている。
【０００８】
請求項１記載の発明によれば、外壁本体３表面の水は、斜め胴縁７４の上面の傾斜に沿って下方に流れるので開口部５付近に溜まることなく排出出来るとともに、斜め胴縁７４は、開口部５の両側縁線ａ、ａが上方に延長された仮想線Ｋ１を横切るように設けられているので、水が開口部５内に流入することがないこととなって、開口部５の防水性を容易に且つ確実に高めることが出来る。
即ち、従来の縦胴縁或いは横胴縁にしても、開口部の上部付近には水が溜まりやすく、そのためコーキング打ち等の防水処理を十分に行う必要があったが、この斜め胴縁７４を用いれば、開口部５の上部付近に溜まることなく水を開口部５の外側に流すことが出来ることとなって、開口部５の防水性を高めることができて開口部５付近の防水処理をより簡略化しても従来以上の防水性を得ることが可能となる。
また、斜め胴縁７４の傾斜方向下方の端部７４ａと開口部５の側縁部５ａとの間の外壁本体３に、前記側縁部５ａと略平行に、且つ上端７１ａの位置が前記斜め胴縁７４の下端部７４ａと同一か或いはそれ以上高く、下端７１ｂの位置が前記開口部５の下縁部５ｂと同一か或いはそれ以上低い縦胴縁７１が設けられているので、斜め胴縁７４の下端部７４ａから流れた水が開口部５の側縁部５ａから開口部５内に回り込むことがないこととなって、より開口部５の防水性を高めることが出来る。
【０００９】
ここで、外壁本体３は、在来工法によって構築されたものであってもよいし、或いはパネル工法によって構築されたものであってもよい。
【００１０】
請求項２記載の発明は、請求項１記載の外壁構造において、
斜め胴縁７４上方の外壁本体３の表面に、上下に長尺な縦胴縁６…が水平方向に所定の間隔で設けられていることを特徴としている。
【００１１】
請求項２記載の発明によれば、斜め胴縁７４上方の外壁本体３の表面に水平方向に所定の間隔で上下に長尺な縦胴縁６…が設けられているので、特に、請求項１記載の効果をより顕著に得ることが出来る。
即ち、縦胴縁６…の場合には胴縁と胴縁との間に上下方向に長い空間が形成されるので、下方に水が溜まりやすいが、斜め胴縁７４によって水を溜めることなく開口部５の側方からさらに下方に流入させることができることとなって、開口部５の防水性を高めることが出来る。
【００１４】
請求項３記載の発明は、請求項１又は２記載の外壁構造において、
外壁本体３の表面に、防水シート４が張設され、その上から前記斜め胴縁７４が前記外壁本体３に取り付けられていることを特徴としている。
【００１５】
請求項３記載の発明によれば、請求項１又は２記載の発明と同様の効果が得られることは無論のこと、特に、外壁本体３の表面に、防水シート４が張設され、その上から斜め胴縁７４が外壁本体３に取り付けられているので、外壁全体としての防水性能が更に高まる。
【００１６】
ここで、外壁本体３への防水シート４の張設は、工場で行ってもよいし、或いは現場で行ってもよい。
防水シート４は、防水性を有するものであればどのようなものでもよいが、防水性と同時に透湿性を有するものであってもよい。
【００１７】
請求項４記載の発明は、請求項１〜３の何れかに記載の外壁構造において、
外壁本体３は複数のパネル２ａ、２ｂ、２ｃが連結してなる連結パネルであることを特徴としている。
【００１８】
請求項４記載の発明によれば、外壁本体３は複数のパネル２ａ、２ｂ、２ｃが連結してなる連結パネルにより構成されているので、このパネル２ａ、２ｂ、２ｃを現場で連結させたり、或いは工場等で予め連結したものを現場で立設することが出来て、在来工法に比べて外壁構築を容易にすることが出来る。
【００１９】
【発明の実施の形態】
以下、図を参照して本発明に係る外壁構造および外壁への胴縁取付方法の実施の形態について詳細に説明する。
図１は、本発明に係る外壁構造を示す外壁要部の正面図であり、図２は、同斜視図である。
図１〜３に示す本発明に係る外壁１は、いわゆるパネル工法によって構築されるものであって、外壁パネル２の端面部どうしが連結されてパネル本体３（外壁本体）が形成されている。
即ち、前記外壁１は、２つの側壁パネル２ａ、２ａと、この側壁パネル２ａ、２ａの上方の側端面部と、下方の側端面部どうしに接合された小壁パネル２ｂと腰壁パネル２ｃとからなるロ字状のパネル本体３（図２）と、該パネル本体３の一方の面に張設された防水シート４を備えている。そして、このパネル本体３の中央部には、開口部５が設けられている。
【００２０】
側壁パネル２ａ、２ａと小壁パネル２ｂおよび腰壁パネル２ｃは、例えば、縦框材２１、２１と横框材２２、２２とが矩形状に組み立てられるとともに、この矩形枠の内部に補強芯材（図示省略）が縦横に組まれて枠体が形成され、枠体の一方の面に合板等の面材２３、２３が貼設されたものである。
側壁パネル２ａ、２ａ、小壁パネル２ｂおよび腰壁パネル２ｃどうしの接合は、図示はしないが、接着剤、締結用のボルト、或いは釘打ちによってなされる。このように、パネル本体３は複数のパネル２ａ、２ｂ、２ｃが連結してなる連結パネルにより構成されているので、このパネル２ａ、２ｂ、２ｃから構築されているので、在来工法に比べて外壁構築を容易にすることが出来る。
【００２１】
前記防水シート４は、例えば、ステープル打ち或いは接着剤によって外壁パネル２に張設されている。
防水シート４は、防水性および透湿性のシートであり、例えば、タイベック（商品名：デュポン社製）などを使用する。
また、防水シート４の上からは、パネル本体３の横方向にそって所定の間隔で縦胴縁６…がパネル本体３に取り付けられている。
【００２２】
また、前記開口部５の周囲には、該開口部側縁部５ａに縦胴縁７１、７２が、下縁部５ｂには横胴縁７３が、上縁部５ｃには斜め胴縁７４がそれぞれ設けられている。
前記縦胴縁７１は、開口部５の側縁部５ａと略平行となっているとともに、上端７１ａの位置が前記斜め胴縁７４の右下端部７４ａより高く、且つ下端７１ｂの位置が開口部５の下縁部５ｂよりも低くなっている。
前記斜め胴縁７４は、開口部５と縦胴縁６の間の小壁パネル２ｂに右下がりに傾斜して取り付けられている。
【００２３】
前記斜め胴縁７４は、開口部５の両側縁部（側縁線）ａ、ａを上方に延長した仮想線（破線で示す）を横切る長さを有し、右下端部７４ａが縦胴縁７１の上端７１ａよりも下に位置している。
従って、斜め胴縁７４の上方から小壁パネル２ｂを伝って流れてきた水は、斜め胴縁７４の上面の傾斜にそって右下端部７４ａ方向に流れ、更に側壁パネル２ａ下方に流れるようになっているので、水が開口部５の側縁部５ａから開口部５内に回り込むことがないこととなって、より開口部５の防水性を高めることが出来るようになっている。
【００２４】
また、斜め胴縁７４は、小壁パネル２ｂにコーキング材が塗布された上から取り付けられ、これによって小壁パネル２ｂとの間のすき間が埋められている。
なお、斜め胴縁７４の上面は、水が流れやすいように溝状にしてもよい。また、この斜め胴縁７４には水が集まりやすいので、防水性を有する材料或いは防水処理されたもの（例えば、防水シートで覆ったもの）を使用するとより好ましい。
【００２５】
続いて、上記パネル本体３への胴縁取付方法について説明する。
まず、パネル本体３の一方の面に防水シート４を張設し、次いで、パネル本体３の横方向にそって所定の間隔で防水シート４の上から縦胴縁６…を取り付ける。この防水シート４を張設することによって、外壁全体としての防水性能が更に高まる。
次いで、コーキング材をパネル本体３の上に塗布する。
そして、このコーキング材が塗布されたパネル本体３の上から、開口部５の両側縁線ａ、ａを上方に延長した仮想線（破線で示す）を横切るとともに、右下端部７４ａの位置が縦胴縁７１の上端７１ａより低くなるように、斜め胴縁７４を取り付ける。
【００２６】
以上説明した本発明に係る外壁（外壁構造）によれば、パネル本体３表面の水は、斜め胴縁７４の上面の傾斜に沿って下方に流れるので、開口部５付近に溜まることなく水を開口部５の外側に排出出来るとともに、斜め胴縁７４が開口部５の幅より長くなっているので水が開口部５内に流入されることがないこととなって、開口部５付近の防水性を容易に且つ確実に高めることが出来る。
即ち、従来の縦胴縁６…の場合、胴縁間に上下方向に長い空間が形成されるので、パネル本体３の表面を伝って開口部５の上部付近に水が溜まりやすく、そのためコーキング施工或いは防水シート４の張設等の防水処理を十分に行う必要があったが、この斜め胴縁７４を用いれば、水は開口部５の上部付近に溜まることなく開口部５の外側に流すことが出来ることとなって、開口部５の防水性を高めることができて開口部５付近の防水処理の簡略化も可能となる。
【００２７】
なお、斜め胴縁７４と小壁パネル２ｂとの間のすき間は、防水シートを斜め胴縁の上から被せるようにすることによって遮断してもよい。
また、斜め胴縁の傾斜角度は、設計事項であり、任意に決めてよい。
【００２８】
【発明の効果】
請求項１記載の発明によれば、外壁本体表面の水は、斜め胴縁の上面の傾斜に沿って下方に流れるので開口部付近に溜まることなく排出出来るとともに、斜め胴縁は、開口部の両側縁線が上方に延長された仮想線を横切るように設けられているので、水が開口部内に流入することがないこととなって、開口部の防水性を容易に且つ確実に高めることが出来る。
また、斜め胴縁の傾斜方向下方の端部と開口部の側縁部との間の外壁本体に、前記側縁部と略平行に、且つ上端の位置が前記斜め胴縁の下端部と同一か或いはそれ以上高く、下端の位置が前記開口部の下端部と同一か或いはそれ以上低い縦胴縁が設けられているので、斜め胴縁の下端部から流れた水が開口部の側縁部から開口部内に回り込むことがないこととなって、より開口部の防水性を高めることが出来る。
【００２９】
請求項２記載の発明によれば、斜め胴縁上方の外壁本体の表面に所定の間隔で縦胴縁が設けられているので、特に、請求項１記載の効果をより顕著に得ることが出来る。
【００３１】
請求項３記載の発明によれば、請求項１又は２記載の発明と同様の効果が得られることは無論のこと、特に、外壁本体の表面に、防水シートが張設され、その上から斜め胴縁が外壁本体に取り付けられているので、外壁全体としての防水性能が更に高まる。
【００３２】
請求項４記載の発明によれば、外壁本体は複数のパネルが連結してなる連結パネルにより構成されているので、このパネルを現場で連結させたり、或いは工場等で予め連結したものを現場で立設することが出来て、在来工法に比べて外壁構築を容易にすることが出来る。
【図面の簡単な説明】
【図１】本発明に係る外壁構造を示す外壁要部の正面図である。
【図２】本発明に係るパネル本体の斜視図である。
【図３】従来のパネルの形態を説明するためのパネルの斜視図である。
【符号の説明】
１    外壁
２ａ  側壁パネル
２ｂ  小壁パネル
２ｃ  腰壁パネル
３    パネル本体（外壁本体）
４    防水シート
５    開口部
５ａ  側縁部
５ｂ  下縁部
５ｃ  上縁部
６    縦胴縁
７１    縦胴縁
７２    縦胴縁
７３    横胴縁
７４    斜め胴縁
ａ    側縁線
【図１】
0004145430.tif 000002
【図２】
0004145430.tif 000003
【図３】
0004145430.tif 000004